(57)【要約】【課題】樹木の剪定枝、落ち葉、刈り込み後の芝などは環境保護の観点から焼却処理が出来なくなりつつあり、これに代わる処理方法として、堆肥化の試みがなされているが、野積みによる堆肥化も規制される方向にあり、低コストで製作できる簡易な堆肥製造器は見当たらなかった。【解決手段】上端開口部を蓋２によって密閉できる様になった有底筒形をした容器本体１の下部に、その底面４から間隔をあけてメッシュ状をなした床板３を位置させ、該床板３の固定位置より下方の周壁７に貫通孔８を設け、該貫通孔８に管路開閉バルブ９を有する導管１０を接続すると共に、前記容器本体１の外側を、太陽熱を吸収しやすくする為に表面が暗色系色調となっている袋状の保温材１８で覆う様にした。【選択図】        図１
2005022884.tif 000002
【特許請求の範囲】
【請求項１】
上端開口部を蓋２によって密閉できる様になった有底筒形をした容器本体１の下部に、その底面４から間隔をあけてメッシュ状をなした床板３を位置させ、該床板３の固定位置より下方の周壁７に貫通孔８を設け、該貫通孔８に管路開閉バルブ９を有する導管１０を接続すると共に、前記容器本体１の外側を、太陽熱を吸収しやすくする為に表面が暗色系色調となっている袋状の保温材１８で覆う様にしたことを特徴とする簡易堆肥製造器。
【請求項２】
容器本体１がドラム缶によって構成されていることを特徴とする請求項１記載の簡易堆肥製造器。
【請求項３】
容器本体１が金属製であることを特徴とする請求項１記載の簡易堆肥製造器。
【請求項４】
容器本体１がプラスチック製であることを特徴とする請求項１記載の簡易堆肥製造器。
【請求項５】
蓋２の外側からに容器本体１内に、その内部温度を計測する温度計１２を挿入できる様にしたことを特徴とする請求項１記載の簡易堆肥製造器。
【発明の詳細な説明】
【０００１】
【産業上の利用分野】
この発明は簡易堆肥製造器、詳しくは用廃後のドラム缶などを再利用して製作可能で、手軽に堆肥を製造出来る便利な簡易堆肥製造器に関するものである。
【０００２】
【従来の技術】
ゴミ処理は近年社会問題化しており、樹木の剪定枝や落ち葉あるいは刈り込み後の芝などの処理も大きな問題となっている。これらは、従来は焼却処理するのが普通であったが、焼却処理は環境保全の見地から規制される方向にあり、これに代わる処理方法として、これらを堆肥の原料として利用する試みもなされている。これらを堆肥化する場合、従来においては適当な場所に野積みして行うのが普通であった。
【０００３】
【発明が解決しようとする課題】
しかしながら、野積みによる堆肥製造は、温度や湿度の管理が非常にむずかしく、堆肥化に失敗し、異常発酵させてしまい、悪臭や害虫が大量発生し、公害の原因となってしまうこともあった。
【０００４】
又、野積みによる堆肥化は、少量ではうまく行かず、ある程度のまとまった量を必要とし、設置場所の制約もあり、どこででも手軽に行うという訳には行かなかった。更に、野積みによる堆肥化の場合、如何に管理を徹底しても臭気や虫の発生を根絶させることは実際上不可能であり、近年は環境保全、公害防止の観点から野積みによる堆肥化は規制される方向にある。
【０００５】
この様な状況に鑑み、堆肥を製造する為の装置もいくつか提案されているが、いすれも高価であり、手軽に購入したり設置することはコスト的に無理であった。又、堆肥材料の加温や攪拌の為、外部電源を必要とするものも多く、これらは設置場所が制約されていた。
【０００６】
本発明者はゴミの減量化の為に極めて有効な手段の一つである堆肥製造に関する上記問題を解決すべく鋭意研究を行った結果、使用済みのドラム缶などの再利用により低価格で製作可能で、外部電源を必要とせず、どこにでも設置可能で、臭気や虫を発生させることなく、手軽に堆肥を製造することが出来、景観を損ねることもない便利な簡易堆肥製造器を開発することに成功し、本発明としてここに提案するものである。
【０００７】
【課題を解決するための手段】
上端開口部を蓋２によって密閉できる様になった有底筒形をした容器本体１の下部に、その底面４から間隔をあけてメッシュ状をなした床板３を位置させ、該床板３の固定位置より下方の周壁７に貫通孔８を設け、該貫通孔８に管路開閉バルブ９を有する導管１０を接続すると共に、前記容器本体１の外側を、太陽熱を吸収しやすくする為に表面が暗色系色調となっている保温材１８で覆うことにより、上記課題を解決した。この際、容器本体１はドラム缶によって構成しても良く、用廃済みのドラム缶の場合は低コストで調達出来るので、より経済的である。又、容器本体１は金属製であっても、プラスチック製であっても良い。更に、蓋２には発酵の際の温度管理の為、容器本体１の内部温度を計測する温度計１２が取付けられる様になっている。
【０００８】
【発明の実施の形態】
図１はこの発明に係る簡易堆肥製造器の一実施形態の縦断面図、図２はその一部を切欠いて描いた斜視図である。
【０００９】
図中１は、有底筒形をした容器本体であり、耐腐食性にすぐれた金属あるいは合成樹脂を素材としている。この容器本体１として新品のドラム缶はもちろん、用廃後のドラム缶を用いることも可能であり、コスト面や資源の再利用の面からは、むしろ用廃後のドラム缶の転用が好ましい。そして、この容器本体１の上端開口部は蓋２によって密閉出来る様になっている。なお、蓋２によって容器本体１の上端開口部を密閉するのは、臭気や虫の周囲への飛散を防ぐ為である。又、この容器本体１の内部下方には、メッシュ状をなした床板３が容器本体１の底面４から間隔をあけて取付けられている。図中５は床板３の枠体、１５は枠体５間に渡された補強梁材、６は前記枠体５から下方に向って植設された脚部材である。なお、容器本体１は受台１６上に載置される様になっている。なお、この実施の形態においては、底板３は容器本体１の底面４から約１０ｃｍ上方に取付けられている。
【００１０】
又、前記床板３の固定位置より下方の容器本体１の周壁７には貫通孔８があけられており、この貫通孔８には管路開閉バルブ９を有する導管１０がネジ止め固定されている。なお、この貫通孔８は後述する容器本体１の下部に滞留する余剰水２０をオーバーフローさせると共に、容器本体１内に空気を圧送する際に用いるものであり、この実施の形態においては、貫通孔８は底面４の約５ｃｍ上方にあけられている。
【００１１】
更に、この容器本体１は袋状をなした保温材１８によってすっぽりと覆われる様になっている。この実施の形態においては、保温材１８として、ドーム形をした独立気室が軟質合成樹脂製シート表面に多数形成された梱包用緩衝材であるエアキャップシートを用いたが、ガラス繊維や合成樹脂発泡体を主材とする保温材など、他の素材のものを用いても良いことはもちろんである。
【００１２】
又、この保温材１８の表面は、太陽熱を効率よく吸収できる様にする為、黒色など暗色系の色調となっている。なお、保温材１８の表面に直接暗色系の色彩を付すのではなく、保温材１８の表面側に暗色系のシートを重畳させても良いことはもちろんである。
【００１３】
一方、蓋２の中央には、棒状感温体１１が延設された温度計１２の棒状感温体１１を挿通出来る軟質合成樹脂製の弁座１９が設けられている。この弁座１９は複数個の舌片を放射状に組合せたものであり、棒状感温体１１挿通時には舌片は下方に向って撓んで棒状感温体１１の挿通隙間を形成し、棒状感温体１１撤去時にはもとの形状に復し、挿通隙間を閉塞する弁構造となっている。なお、蓋２の弁座１９の位置に対応する保温材１８の上面中央には、棒状感温体１１挿通用の透孔２２が設けられている。
【００１４】
なお、容器本体１の寸法には特に制限はないが、内容量２００リットル程度のものが、堆肥原料の収容能力、発酵効率、設置スペース、移動の容易さなどから好ましい。
【００１５】
そして、この簡易堆肥製造器を用いて堆肥を製造するには、これを公園の片隅など適当な場所に設置し、その内部に落ち葉、剪定枝、刈り草、その他有機廃棄物などからなる堆肥原料１７をほぼ一杯になるまで投入すると共に、適量の水を散布し、更に嫌気性菌からなる発酵促進材をこれに添加し、蓋２を被せて密閉し、容器本体１を保温材１８ですっぽりと覆い、容器本体１内部において堆肥原料１７の発酵を開始させる。前記仕込み作業の際の水の散布量の目安は、堆肥原料１７の表面が万遍なく湿る程度であり、導管１０の管路開閉バルブ９を開放した状態で、容器本体１の上端開口部から水を散布し、導管１０から水がちょろちょろと流出し出した時点で散布を停止すれば、ほぼ適正量の水の散布となる。
【００１６】
なお、ここで用いられる発酵促進材とは、好気性微生物と共に空気の乏しい環境下でも生育可能な嫌気性傾向を持った微生物を含む下水汚泥を発酵させたものであり、特公平７−９４３５８において開示されているものなどがこれに相当する。ここで用いられる発酵促進材は嫌気性傾向を持った微生物を含んでいるので、容器本体１を密閉した状態でも堆肥原料１７の発酵が行われ、発酵途中における攪拌も特に必要ない。一方、発酵の開始及び進行には一定以上の温度が必要であるが、容器本体１は保温材１８によって覆われており、保温材１８の表面は太陽熱吸収用の暗色系の色調となっているので、容器本体内１は太陽熱と発酵熱によって適度に加温されており、好適な温度条件のもと、発酵が安定的に継続される。
【００１７】
一方、容器本体１の底面４上には堆肥原料１７から重力落下した余剰水２０が滞留しており、容器本体１内の発酵熱によってこの余剰水２０は少しずつ蒸発し、これによって容器本体１内は適度の湿潤状態に保持される。従って、仕込み作業を終え、容器本体１を密閉した後は、水分の補給は特に必要ない。
【００１８】
一方、蓋２の弁座１９からは温度計１２の棒状感温体１１が容器本体１内に挿入できる様になっており、管理者は適宜棒状感温体１１を差し込むことによって容器本体１内の温度を計測し、発酵の進行状況を知ることが出来る。図１は棒状感温体１１を容器本体１内に差し込んだ状態、図２は差し込む前の状態をそれぞれ表わしている。なお、発酵の終了は容器本体１内の温度の低下によって知ることが出来る。又、この容器本体１内の温度計測によって、発酵が順調に行われていないことを感知したときは、水分の追加や後述する空気の圧送などの必要な回復措置をとることが出来る。容器本体１の下部には、メッシュ状の床板３が取付けられているので、落ち葉や刈り草などの堆肥原料１７から出た余分な水分は床板３から下方に重力落下し、底面４上に余剰水２０として溜まり、堆肥原料１７が水に浸って、発酵が阻害される事態は防止される。底面４上に溜まった余剰水２０が過大になったときは、容器本体１の下部に設けられた導管１０の管路開閉バルブ９を開けることにより、容器本体１外にこれをオーバーフローさせることが出来る。
【００１９】
一方、何らかの原因によって、容器本体１内において堆肥原料１７が異常発酵し、悪臭が発生したときには、導管１０にエアーマット空気充填用の足踏みポンプ、自転車用空気入れなど市販の適当な送気装置を接続し、容器本体１内に空気を圧送すれば、正常な発酵状態に戻り、悪臭は消える。なお、送気装置は高価な電動式業務用のものである必要は全くなく、レジャー用や日用品として市販されている安価な人力式、手動式のもので十分である。
【００２０】
更に、容器本体１として用廃済みドラム缶を転用する場合、床板３、管路開閉バルブ９付きの導管１０、温度計１２、保温材１８などをキットとして一式用意しておき、用廃済みのドラム缶を現地調達し、これに前記各部品を取付ける様にすれば、輸送コストもかからずに、各地にこの簡易堆肥製造器を効率的に配置することが出来る。又、この簡易堆肥製造器は図３に示す様に、台車１４に載せて容易に移動させることが可能である。従って、例えばこの簡易堆肥製造器を一つずつ小規模公共公園などに設置しておき、一定期間毎に、特定の集積地に移動回収することも可能である。
【００２１】
【発明の効果】
この発明に係る簡易堆肥製造器は上記の通りの構成、作用を有するものであり、仕込み作業を終り、容器本体１を密閉した後は、通常の場合、発酵が終了するまで温度管理や水分調整の作業、あるいは堆肥原料１７の攪拌作業は一切必要なく、簡単手軽に堆肥を製造することが出来る。又、容器本体１は密閉されているので、容器本体１内からの悪臭や虫の発生飛散がなく、極めて衛生的である。
【００２２】
又、万が一、容器本体１内において異常発酵が起きた場合は、導管１０を通して容器本体１内に大量の空気を圧送することにより、正常な発酵状態に回復させることが出来、この際の空気の圧送も特別な専用装置ではなく、市販の安価なレジャー用や日常生活用の手動式、人力式のポンプなどで足り、駆動電源を必要としないので設置場所を選ばない。
【００２３】
更には、外観上は単なる円筒体であるので、公園や街路の片隅に設置しても周囲の景観を損なわない。
【００２４】
又、用廃後のドラム缶などを用いて製作することが出来るので、材料費が極めて低廉であると共に、今まで処理に困っていたドラム缶などの再利用にも途を拡くものであり、資源の再利用、有効活用の面からも極めて高い価値を有している。
【図面の簡単な説明】
【図１】この発明に係る簡易堆肥製造器の一実施形態の縦断面図。
【図２】同じくその一部を切欠いて描いたその斜視図。
【図３】この発明に係る簡易堆肥製造器を台車１４によって移動している状況を示した
側面図。
【符号の説明】
１  容器本体
２  蓋
３  床板
４  底面
５  枠体
６  脚部材
７  周壁
８  貫通孔
９  管路開閉バルブ
１０  導管
１１  感温体
１２  温度計
１３  温度表示部
１４  台車
１５  補強梁材
１６  受台
１７  堆肥原料
１８  保温材
１９  弁座
２０  余剰水
２２  透孔
【図１】
2005022884.tif 000003
【図２】
2005022884.tif 000004
【図３】
2005022884.tif 000005